(57)【要約】【課題】車両が振動している場合であっても、タッチパネルの操作性が低下するのを防止できる車載情報端末を提供する。【解決手段】自車両の振動を検出し、その振動量に応じて縮尺変更ボタン２２を拡大表示する。振動が小さいときには（ａ）のように縮尺変更ボタン２２を小さく表示し、振動が大きいときには（ｂ）のように縮尺変更ボタン２２を大きく拡大表示する。【選択図】図２
2007190947.tif 000002
【特許請求の範囲】
【請求項１】
各種のタッチパネル操作を行うための操作領域をタッチパネルディスプレイに表示する操作領域表示手段と、
自車両の振動を検出する振動検出手段と、
前記振動検出手段による振動の検出結果に応じて前記操作領域を拡大表示する拡大表示手段とを備えることを特徴とする車載情報端末。
【請求項２】
請求項１の車載情報端末において、
前記振動検出手段は、自車両の振動を検出してその振動量を前記拡大表示手段へ出力し、
前記拡大表示手段は、前記振動検出手段より出力された振動量に基づいて前記操作領域の拡大率を決定し、決定された拡大率で前記操作領域を拡大表示することを特徴とする車載情報端末。
【請求項３】
請求項１または２の車載情報端末において、
前記振動検出手段は、自車両の振動を検出してその振動方向を前記拡大表示手段へ出力し、
前記拡大表示手段は、前記振動検出手段より出力された振動方向に基づいて前記操作領域の拡大方向を決定し、決定された方向に前記操作領域を拡大表示することを特徴とする車載情報端末。
【発明の詳細な説明】
【技術分野】
【０００１】
本発明は、車両に搭載されて各種の情報を表示するナビゲーション装置などの車載情報端末に関する。
【背景技術】
【０００２】
従来、複数のメニュー項目が並べられたメニュー画面において、その各メニュー項目のうちユーザに選択されたメニュー項目を拡大表示することにより、比較的表示画面が狭い場合でも、そのメニュー項目の内容を認識し易くするメニュー画面の表示方法が知られている（特許文献１参照）。
【０００３】
【特許文献１】特開２０００−３１４６３６号公報
【発明の開示】
【発明が解決しようとする課題】
【０００４】
タッチパネル式のナビゲーション装置では、ユーザが選択したいメニュー項目を画面上でタッチすることにより、そのメニュー項目が選択される。しかし、走行中の車両に路面状況に応じた振動が生じている場合、画面に対してタッチする指の位置が揺れ動くため、正確なタッチ操作が困難となる。したがって、特許文献１に開示されるメニュー画面の表示方法を用いても、ユーザの意図したとおりにメニュー項目の内容を拡大表示することができない。その結果、車両が振動している場合には、タッチパネルの操作性が低下する。
【課題を解決するための手段】
【０００５】
本発明による車載情報端末は、各種のタッチパネル操作を行うための操作領域をタッチパネルディスプレイに表示する操作領域表示手段と、自車両の振動を検出する振動検出手段と、振動検出手段による振動の検出結果に応じて操作領域を拡大表示する拡大表示手段とを備えるものである。
請求項２の発明は、請求項１の車載情報端末において、振動検出手段は自車両の振動量を検出してその振動量を前記拡大表示手段へ出力し、拡大表示手段は、振動検出手段より出力された振動量に基づいて操作領域の拡大率を決定し、決定された拡大率で操作領域を拡大表示するものである。
請求項３の発明は、請求項１または２の車載情報端末において、振動検出手段は自車両の振動方向を検出してその振動方向を前記拡大表示手段へ出力し、拡大表示手段は、振動検出手段より出力された振動方向に基づいて操作領域の拡大方向を決定し、決定された方向に操作領域を拡大表示するものである。
【発明の効果】
【０００６】
本発明によれば、車両が振動している場合であっても、タッチパネルの操作性が低下するのを防止できる。
【発明を実施するための最良の形態】
【０００７】
−第１の実施の形態−
本発明の一実施形態によるナビゲーション装置の構成を図１に示す。このナビゲーション装置は車両に搭載されており、ユーザのタッチパネル操作に応じて、自車両周辺の道路地図を表示し、設定された目的地まで自車両を案内するものである。ナビゲーション装置１は、制御回路１１、ＲＯＭ１２、ＲＡＭ１３、現在地検出装置１４、画像メモリ１５、表示モニタ１６、入力装置１７、ディスクドライブ１８、および振動センサ２０を有している。ディスクドライブ１８には、地図データが記録されたＤＶＤ−ＲＯＭ１９が装填される。
【０００８】
制御回路１１は、マイクロプロセッサおよびその周辺回路からなり、ＲＡＭ１３を作業エリアとしてＲＯＭ１２に格納された制御プログラムを実行することにより、各種の処理や制御を行う。この制御回路１１により、ＤＶＤ−ＲＯＭ１９に記録された地図データに基づいて、たとえば道路地図の表示や目的地の設定、設定された目的地までの推奨経路の探索などが行われる。
【０００９】
現在地検出装置１４は、自車両の現在地を検出する装置であり、たとえば、自車両の進行方向を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション装置１は、この現在地検出装置１４により検出された自車両の現在地に基づいて、推奨経路を探索するときの経路探索開始点を決定することができる。
【００１０】
画像メモリ１５は、表示モニタ１６に表示するための画像データを一時的に格納する。この画像データは、道路地図を表示するための道路地図描画用データや各種の図形データ等からなり、制御回路１１において、ＤＶＤ−ＲＯＭ１９に記録されている地図データに基づいて作成される。この画像メモリ１５に格納された画像データを用いて、表示モニタ１６に道路地図画像など各種の画像が表示される。
【００１１】
表示モニタ１６にはタッチパネル１６ａが組み合わされており、ユーザの指などによって表示モニタ１６上のいずれかの位置がタッチされると、そのタッチ位置を示す情報がタッチパネル１６ａから制御回路１１へ出力される。このタッチ位置情報に基づいて、そのとき表示モニタ１６に表示されていた画像のどの部分がタッチされたか制御回路１１によって判断される。本実施形態のナビゲーション装置１は、このようなタッチパネル１６ａと制御回路１１によって検出されるユーザからのタッチパネル操作に応じて、様々な処理が実行される。
【００１２】
入力装置１７は、ユーザからの様々な操作入力を受け付けるためのものであり、操作パネルやリモコンなどによって実現される。入力装置１７により、たとえば、目的地とする施設を検索するための検索条件の入力、地図のスクロール方向の指示、地図縮尺の変更などの操作が行われる。なお、これらの操作は上記のタッチパネル操作によっても行うことができる。そのため、入力装置１７は本実施形態のナビゲーション装置１において必須ではなく、備えられていなくてもよい。
【００１３】
ディスクドライブ１８は、装填されたＤＶＤ−ＲＯＭ１９より、道路地図を表示するための地図データを読み出す。この地図データには、目的地までのルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。
【００１４】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１５】
振動センサ２０は、自車両が走行中の路面状況に応じて生じる振動を検出し、その振動量を振動検出信号により制御回路１１に出力する。この振動検出信号によって表される自車両の振動量に基づいて、後で説明するような縮尺変更ボタンの拡大表示処理が制御回路１１により行われる。振動センサ２０には、たとえば圧電素子を利用する接触型のものや、静電容量の変化を利用する非接触型のものなどを用いることができる。なお、ここではナビゲーション装置１に振動センサ２０を組み込んだ例を説明しているが、車両側に振動センサを設置するようにしてもよい。
【００１６】
入力装置１７の操作やタッチパネル操作によってユーザから目的地が設定されると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して道路地図上に表される。これにより、ユーザは推奨経路を表示モニタ１６に表示された道路地図上において認識することができる。また、この推奨経路に従って自車両が走行できるよう、ナビゲーション装置１は、ユーザに対して画像や音声などによる進行方向指示を行うことにより、自車両を誘導する。このように、道路地図を表示して推奨経路に従って自車両を目的地まで誘導することにより、目的地までのルート案内が行われる。
【００１７】
上記のようにして道路地図を表示する際、その道路地図とともに、地図縮尺を変更するための操作領域が画面表示される。この操作領域は、縮尺変更ボタンと呼ばれる。縮尺変更ボタンは、振動センサ２０により検出される振動量に応じて、その表示の大きさが変化する。
【００１８】
ナビゲーション装置１において表示される道路地図と縮尺変更ボタンの例を図２に示す。（ａ）は振動が比較的小さいときの例である。符号２１は、推奨経路上を走行中の自車両の位置を地図上に示すための自車位置マークである。符号２２に示す縮尺変更ボタンには、地図縮尺を指定するための複数の操作ボタンが配置されている。各操作ボタンには単位長さあたりの地図上の距離が表されており、その値が小さいほど詳細な地図に対応している。すなわち、「５０ｍ」と書かれた操作ボタンがタッチされると、最も縮尺率が大きく詳細な地図が表示される。一方、「２ｋｍ」と書かれた操作ボタンがタッチされると、最も縮尺率が小さく広域な地図が表示される。
【００１９】
図２（ｂ）は、振動が比較的大きいときに表示される道路地図と縮尺変更ボタンの例である。このときの縮尺変更ボタン２２は、図２（ａ）よりも拡大して表示される。このように、振動量に応じて縮尺変更ボタン２２の表示の大きさを変化させることで、車両が振動している場合であっても、縮尺変更ボタン２２におけるタッチパネル操作性が低下するのを防止できる。すなわち、車両の振動によってユーザの指の位置が画面に対して揺れ動き、正確なタッチ操作が困難な状況であっても、その振動量に応じた大きさで縮尺変更ボタン２２が拡大表示されるため、ユーザは意図した操作ボタンを確実にタッチすることができる。
【００２０】
なお、振動量は一般に変位量、速度および加速度の各パラメータを用いて表すことができる。上記のように振動量に応じて縮尺変更ボタン２２の大きさを変化させる場合、これらのパラメータのいずれを用いてもよい。また、周期的な振動である場合は、その振動の周波数をさらに加味してもよい。たとえば周波数が一定値以上である場合、操作するユーザの動きがその振動に追随しないと考えられるため、振動量が大きくても縮尺変更ボタン２２を拡大表示しないようにすることができる。
【００２１】
以上説明したような縮尺変更ボタンの拡大表示処理を行う際に制御回路１１において実行されるフローチャートを図３に示す。ステップＳ１０では、自車両周辺の道路地図画像を表示モニタ１６に表示する。ステップＳ２０では、ステップＳ１０で表示された道路地図画像に重ねて、縮尺変更ボタン２２を表示モニタ１６に表示する。
【００２２】
ステップＳ３０では、振動センサ２０から出力される振動検出信号を入力する。これにより、制御回路１１において自車両の振動量が得られる。ステップＳ４０では、ステップＳ３０で得られた振動量に基づいて、縮尺変更ボタン２２を拡大表示するときの拡大率を算出する。
【００２３】
ステップＳ５０では、ステップＳ４０で算出された拡大率で縮尺変更ボタン２２を表示モニタ１６に拡大表示することにより、縮尺変更ボタン２２の表示更新を行う。ステップＳ５０を実行したらステップＳ３０へ戻り、上記の処理を繰り返す。以上説明したようにして、図３のフローチャートが実行される。
【００２４】
以上説明した第１の実施の形態によれば、次の作用効果を奏する。
（１）振動センサ２０により自車両の振動を検出し、その振動の検出結果に応じて、縮尺変更ボタン２２を拡大表示する（ステップＳ５０）こととした。このようにしたので、車両が振動している場合であっても、タッチパネルの操作性が低下するのを防止できる。
【００２５】
（２）振動センサ２０により自車両の振動を検出して、その振動量を制御回路１１へ出力する。制御回路１１では、振動センサ２０から出力された振動量に基づいて、縮尺変更ボタン２２の拡大率を算出し決定する（ステップＳ４０）。こうして決定された拡大率で縮尺変更ボタン２２を拡大表示することとした。このようにしたので、車両の振動量に適した大きさで縮尺変更ボタンを拡大表示できる。
【００２６】
−第２の実施の形態−
本発明の別の実施形態について説明する。上記に説明した第１の実施の形態では、縮尺変更ボタンの縦と横を均等に拡大する例を説明したが、本実施形態のナビゲーション装置では、検出される車両の振動方向に応じて、縮尺変更ボタンを縦または横のいずれかに拡大する。なお、本実施形態のナビゲーション装置の構成は、図１に示す第１の実施の形態と同様である。そのため以下の説明では、本実施形態のナビゲーション装置の動作について図１の構成を用いて説明する。
【００２７】
本実施形態のナビゲーション装置では、振動センサ２０において自車両の振動を検出する際に、振動量に加えて振動方向も検出される。たとえば、自車両の上下左右の方向にそれぞれの検出軸が向けられた複数の振動センサを組み合わせて振動センサ２０として用いることにより、振動量と振動方向を検出することができる。こうして振動センサ２０により振動が検出されると、その振動量および振動方向が振動検出信号により制御回路１１に出力される。この振動検出信号によって表される自車両の振動量および振動方向に基づいて、上記のような車両の振動方向に応じた縮尺変更ボタンの拡大表示処理が制御回路１１により行われる。
【００２８】
本実施形態のナビゲーション装置において表示される道路地図と縮尺変更ボタンの例を図４に示す。（ａ）は振動が縦方向の場合の例であり、縮尺変更ボタン２２が縦に（上下に）拡大表示されている。（ｂ）は振動が横方向の場合の例であり、縮尺変更ボタン２２が横に（左右に）拡大表示されている。このように、縦方向の振動が検出された場合は、その振動方向に応じて縮尺変更ボタン２２を上下に拡大し、横方向の振動が検出された場合は、その振動方向に応じて縮尺変更ボタン２２を左右に拡大する。このとき第１の実施の形態と同様に、振動量に応じた拡大率が縦横それぞれの拡大方向に対して設定される。なお、縦方向の振動と横方向の振動が同時に検出された場合は、その各々の振動量に応じた拡大率を縮尺変更ボタン２２の縦と横にそれぞれ設定して、縮尺変更ボタン２２を上下および左右に拡大する。
【００２９】
あるいは、上方向と下方向、または左方向と右方向のように、振動の方向をさらに分けて縮尺変更ボタン２２の拡大方向を変えることもできる。すなわち、上向きの振動が検出された場合は、その上向きの振動を打ち消すように、縮尺変更ボタン２２の下側を拡大する。逆に、下向きの振動が検出された場合は、その下向きの振動を打ち消すように、縮尺変更ボタン２２の上側を拡大する。同様に、左向きの振動が検出された場合は縮尺変更ボタン２２の右側を、また右向きの振動が検出された場合は縮尺変更ボタン２２の左側を、それぞれ拡大する。
【００３０】
以上説明したように、振動方向に応じた方向に縮尺変更ボタン２２の表示の大きさを変化させることで、縮尺変更ボタン２２におけるタッチパネル操作性をより向上することができる。
【００３１】
本実施形態のナビゲーション装置において縮尺変更ボタンの拡大表示処理を行う際に制御回路１１において実行されるフローチャートを図５に示す。このフローチャートでは、図３に示す第１の実施の形態のフローチャートと同じ処理を実行する処理ステップに対して、図３と同一のステップ番号としている。
【００３２】
ステップＳ１０、Ｓ２０およびＳ３０では、第１の実施の形態と同じ処理を実行する。このとき前述したように、ステップＳ３０で振動センサ２０から出力される振動検出信号には自車両の振動量および振動方向が表されているため、ステップＳ３０を実行することで制御回路１１において自車両の振動量と振動方向が得られる。ステップＳ４１では、この振動量と振動方向に基づいて、縮尺変更ボタン２２を拡大表示するときの拡大率および拡大方向を算出する。
【００３３】
ステップＳ５０では、ステップＳ４１で算出された拡大率と拡大方向で縮尺変更ボタン２２を表示モニタ１６に拡大表示することにより、縮尺変更ボタン２２の表示更新を行う。ステップＳ５０を実行したらステップＳ３０へ戻り、上記の処理を繰り返す。以上説明したようにして、図５のフローチャートが実行される。
【００３４】
以上説明した第２の実施の形態によれば、振動センサ２０により自車両の振動を検出して、その振動方向を制御回路１１へ出力する。制御回路１１では、振動センサ２０から出力された振動方向に基づいて、縮尺変更ボタン２２の拡大方向を決定する（ステップＳ４１）。こうして決定された方向に縮尺変更ボタン２２を拡大表示することとした。このようにしたので、車両の振動方向に適した形状で縮尺変更ボタンを拡大表示できる。
【００３５】
なお、上記の各実施形態では縮尺変更ボタンを例に説明したが、それ以外の操作ボタンであっても本発明は適用可能である。すなわち、各種のタッチパネル操作を行うためにタッチパネルディスプレイに表示される様々な操作領域について、本発明を適用することができる。また、上記の各実施形態により説明したような表示方法は、車両用のナビゲーション装置以外にも、タッチパネル操作によって動作する様々な車載情報端末について適用可能である。
【００３６】
以上説明した実施の形態や各種の変形例はあくまで一例であり、発明の特徴が損なわれない限り、本発明はこれらの内容に限定されない。
【図面の簡単な説明】
【００３７】
【図１】本発明の一実施形態によるナビゲーション装置の構成を示すブロック図である。
【図２】第１の実施の形態において表示される道路地図と縮尺変更ボタンの例を示す図である。
【図３】第１の実施の形態において縮尺変更ボタンの拡大表示処理を行う際に実行されるフローチャートである。
【図４】第２の実施の形態において表示される道路地図と縮尺変更ボタンの例を示す図である。
【図５】第２の実施の形態において縮尺変更ボタンの拡大表示処理を行う際に実行されるフローチャートである。
【符号の説明】
【００３８】
１  ナビゲーション装置
１１  制御回路
１２  ＲＯＭ
１３  ＲＡＭ
１４  現在地検出装置
１５  画像メモリ
１６  表示モニタ
１７  入力装置
１８  ディスクドライブ
１９  ＤＶＤ−ＲＯＭ
２０  振動センサ
２１  自車位置マーク
２２  縮尺変更ボタン
【図１】
2007190947.tif 000003
【図２】
2007190947.tif 000004
【図３】
2007190947.tif 000005
【図４】
2007190947.tif 000006
【図５】
2007190947.tif 000007